(57)【要約】  本発明は、特に車両の燃料電池システムのための燃料電池スタック（１０）の稼働方法に関し、冷却運転において冷却剤の流れ方向（１４，１６）の反転によって燃料電池スタック（１０）における冷却剤が、まず、第一の方向（１４）へ搬送される。これに続いて冷却剤は、第一の方向（１４）と少なくとも実質的に反対の第二の方向（１６）へ搬送される。この際、ある時間間隔の経過後に流れ方向（１４，１６）が反転されるものであり、前記時間間隔が冷却運転の間に変更される。また、ある冷却剤体積が前記燃料電池スタック（１０）に存在する熱源（１２）から離れる距離が冷却運転の間に変更されてもよい。さらに、本発明は燃料電池システムに関する。
2015511058.tif 000002
【特許請求の範囲】
【請求項１】
特に車両の燃料電池システムのための燃料電池スタック（１０）の稼働方法であって、冷却運転において冷却剤の流れ方向（１４，１６）の反転によって前記燃料電池スタック（１０）における前記冷却剤が、まず、第一の方向（１４）へ搬送され、続いて前記第一の方向（１４）と少なくとも実質的に反対の第二の方向（１６）へ搬送される稼働方法において、
ある時間間隔の経過後に前記流れ方向（１４，１６）が反転されるものであり、前記時間間隔が前記冷却運転の間に変更されることを特徴とする方法。
【請求項２】
前記冷却運転が長くなるにつれて前記時間間隔が大きくなることを特徴とする、請求項１に記載の方法。
【請求項３】
少なくとも第一の時間間隔の間、ある冷却剤体積が、前記燃料電池スタック（１０）を含む冷却剤循環路（２４）における他の冷却剤体積よりも高い温度を有し、前記燃料電池スタック（１０）が存在する熱源（１２）から既定の距離を越えて離れないことを特徴とする、請求項１または２に記載の方法。
【請求項４】
特に車両の燃料電池システムのための燃料電池スタック（１０）の稼働方法であって、冷却運転において冷却剤の流れ方向（１４，１６）の反転によって前記燃料電池スタック（１０）における前記冷却剤が、まず、第一の方向（１４）へ搬送され、続いて前記第一の方向と（１４）少なくとも実質的に反対の第二の方向（１６）へ搬送される稼働方法において、
ある冷却剤体積が前記燃料電池スタックに存在する熱源（１２）から離れる距離が前記冷却運転の間に変更されることを特徴とする方法。
【請求項５】
前記距離が前記冷却剤を搬送するポンプ装置（３２）の圧力の変更によって、特に冷却運転時間の拡大を伴って、増大されることを特徴とする、請求項４に記載の方法。
【請求項６】
前記冷却運転の第一の段階の間、ある冷却剤体積が、前記燃料電池スタック（１０）を含む冷却剤循環路（２４）における別の冷却剤体積よりも高い温度を有し、前記燃料電池スタック（１０）の第一の冷却剤接続部（２０）と前記燃料電池スタック（１０）の第二の冷却剤接続部（２２）との間を往復して移動することを特徴とする、請求項１〜５のいずれか１項に記載の方法。
【請求項７】
前記冷却運転の第二の段階の間、前記冷却剤体積が少なくとも、前記燃料電池スタック（１０）の前記第一の冷却剤接続部（２０）および／または前記第二の冷却剤接続部（２２）まで搬送されることを特徴とする、請求項６に記載の方法。
【請求項８】
前記冷却運転の間、前記冷却剤が少なくとも一時的に完全に、前記燃料電池スタック（１０）を含む第一の冷却剤循環路（２４）によって搬送され、前記第一の冷却剤循環路（２４）は、冷却器を備える第二の冷却剤循環路と流体的に連結可能であることを特徴とする、請求項１〜７のいずれか一項に記載の方法。
【請求項９】
前記燃料電池スタックに存在する冷却剤体積の温度に応じて、前記冷却剤体積の少なくとも一部が前記燃料電池スタック（１０）を含む、より低温の冷却剤循環路（２４）からの冷却剤によって置き換えられることを特徴とする、請求項１〜８のいずれか一項に記載の方法。
【請求項１０】
前記燃料電池スタックの導電率を用いて決定される前記燃料電池スタックの効率に応じて、前記冷却剤体積の少なくとも一部が、前記燃料電池スタック（１０）を含む、より低温の冷却剤循環路（２４）からの冷却剤によって置き換えられることを特徴とする、請求項１〜８のいずれか一項に記載の方法。
【請求項１１】
前記燃料電池スタック（１０）からの冷却剤の流出、および／または、前記燃料電池スタック（１０）への冷却剤の流入が、前記燃料電池スタック（１０）に存在する前記冷却剤の温度に応じて、少なくとも一時的に少なくとも一つの流れ案内要素を用いて困難にされることを特徴とする、請求項１〜１０のいずれか一項に記載の方法。
【請求項１２】
特に車両のための燃料電池システムであって、燃料電池スタック（１０）を含む冷却剤循環路（２４）を備え、前記冷却剤循環路（２４）は前記燃料電池スタック（１０）に存在する冷却剤の流れ方向（１４，１６）の反転のための手段（３２，３４）を有するものであり、および前記手段（３２，３４）の制御のための制御装置（３６）を備えた燃料電池システムにおいて、
前記制御装置（３６）は、前記冷却運転の間に、
−  ある時間間隔の経過後に前記流れ方向（１４，１６）が反転される前記時間間隔、および／または
−  ある冷却剤体積が前記燃料電池スタック（１０）に存在する熱源（１２）から離れる距離
を変更するために設計されていることを特徴とする、燃料電池システム。
【請求項１３】
前記流れ方向（１４，１６）の反転のための前記手段は弁装置（３４）を含み、前記弁装置（３４）を用いて、第一の切替え位置における前記燃料電池スタック（１０）を通った第一の方向（１４）への貫流、および、第二の切替え位置における前記燃料電池スタック（１０）を通った、前記第一の方向（１４）と少なくとも実質的に反対の第二の方向（１６）への貫流がなされることを特徴とする、請求項１２に記載の燃料電池システム。
【発明の詳細な説明】
【技術分野】
【０００１】
本発明は燃料電池システムのための燃料電池スタックの稼働方法に関し、ここで、冷却運転における冷却剤の流れ方向の反転により燃料電池スタックにおける冷却剤が、まず、第一の方向へ搬送され、これに続いて第一の方向に対して少なくとも実質的に反対方向である第二の方向へ搬送される。本発明はさらに燃料電池システムに関する。
【背景技術】
【０００２】
燃料電池システムの燃料電池スタックが、周囲の温度が低いとき、即ち０℃よりも低いときに稼働されると、通常、燃料電池スタックにおいて発熱が部分的に生じ、これは、この部分で水素と酸素との反応が特に急速に始まることと関係する。この場所がますます加熱されると、燃料電池のこの領域からますます電力も供給され、この場所がさらに加熱される。燃料電池の温度の上昇に伴いその効率が向上するため、さらに多くの電力が生み出され、この場所はさらに加熱される。
【０００３】
このように場所が限定された、また周囲と比較して燃料電池スタックにおいて高温である場所は、ホットスポットとも称される。ホットスポットの領域での燃料電池スタックの過剰な加熱は燃料電池の膜の乾燥や破損をもたらす可能性があるため、また燃料電池スタックの低温始動または冷始動の際にも、ホットスポットから熱を放散する冷却剤流が設定される。こうして、燃料電池スタックの低温始動または冷始動のときでさえも、ホットスポットから生み出された熱の放散のために機能する冷却運転が実行される。
【０００４】
特許文献１には、燃料電池スタックにおける、燃料電池スタックの始動の際の冷却剤の流れ方向の反転が記載されている。ここでは、燃料電池スタックを含む冷却剤循環路に冷却剤ポンプが設置されており、これは第一の搬送装置から、第一の方向とは反対向きの第二の搬送方向へと切替え可能である。流れ方向の反転のために、例えば６秒といった比較的短い周期が選択され、これによって燃料電池スタック内の温度差を可能な限り小さく抑えることができる。もっと短い周期が設定されてもよく、これによって燃料電池スタック内の温度の幅をさらに縮小することができる。
ここで不利な点は、冷却剤の流れ方向の反転にもかかわらず冷却運転において問題が発生し得る点である。
【先行技術文献】
【特許文献】
【０００５】
【特許文献１】ＤＥ  １０  ２００７  ０３４  ３００  Ａ１
【発明の概要】
【発明が解決しようとする課題】
【０００６】
したがって本発明の課題は、冒頭で述べた種類の方法、および、燃料電池スタックの始動行動の改善が達成されるような燃料電池システムを提示することである。
【課題を解決するための手段】
【０００７】
この課題は請求項１の特徴を用いた方法と、請求項４の特徴を用いた方法と、請求項１１の特徴を備えた燃料電池システムにより解決される。本発明の有利な形態と目的に応じた発展形態は従属クレームに示す。
【０００８】
本発明の第一の観点に基づき、ある時間間隔の経過後に流れ方向が反転するものであり、その時間間隔は冷却運転の間に少なくとも一度変更される。これによって冷却剤の流れは燃料電池スタックにおいて、まさに十分に多くの熱がホットスポットから放出されるように設定され、これによって各燃料電池の膜の破損を防止することができる。その一方で、この領域におけるホットスポットからの熱の搬送の後、あまりにも強力な冷却が起こらないように、それぞれに設定される時間間隔はさほど長くない。もしそうでなければ、これによって、燃料電池反応を通して既に水が生成されているため、氷が形成され、これに伴い反応物の流路の詰まりが引き起こされ得る。冷却運転の間に冷却剤が燃料電池スタックを通って各方向へ貫流する時間間隔の変更によって、これらの時間間隔はここで述べた状況において最適に調節することができ、これによって、ホットスポットからの熱の不十分な排出も、強力すぎる熱の排出も起こらない。こうして、特に低温始動または冷始動の際の燃料電池スタックの始動行動が改善される。
【０００９】
特に、燃料電池スタックの始動、即ち所望の電力を生み出すことができる稼働状態への到達が、特に急速かつ安定的になされる。さらにこれによって、始動プロセスの間に、場合によっては燃料電池システムに存在する、例えば電池のような別の電気的エネルギー貯蔵部から必要とするエネルギーが、より少なくなる。車内の空調のような他の車両の機能のためにエネルギー貯蔵部の電力がより多く利用できるため、このことは燃料電池システムが車両に設置されている場合に特に有利である。
【００１０】
冷却運転の間、即ち燃料電池スタックの領域のホットスポットから熱が排出され、ホットスポットの周囲の領域へ分散される間、流れ方向の反転は、冷却剤の流れの慣性効果を考慮しない限りにおいて、ほぼ中断されずになされる。特にポンプ装置は冷却運転の間、冷却剤を恒久的に搬送する。しかしながら流れ方向が反転するまでに、冷却剤の流れが少しの間停止し得る。
【００１１】
本発明の有利な形態では、その経過後に流れ方向が反転する時間間隔が、冷却運転の時間が長くなるにつれて大きくなる。これは、冷却運転の開始の際にホットスポットがまだ比較的小さいと、ホットスポットの熱がほんの少ししかそこから放出される必要がなく、このため温度の低い冷却剤が後から流入することによってホットスポットの十分な冷却が確保される、という認識に基づく。さらに、始動の際の短い時間間隔によって熱の非常に大部分が燃料電池スタックに残り、このため燃料電池スタック全体の所望の稼働温度への急速な到達に寄与する。さらに、その経過後に流れ方向が反転する最初の短い時間間隔によって、冷却剤の流れによって熱が放散されたホットスポット領域での不必要な氷の形成を、特に確実に防止することができる。しかしながら、時間間隔がますます長くなることによって、熱が燃料電池スタックにおいて特に優れて分散される。
【００１２】
また別の有利な点としては、少なくとも第一の時間間隔において、ある冷却剤体積が、燃料電池スタックを含む冷却剤循環路に存在する他の冷却剤体積よりも高い温度を有し、燃料電池スタックに存在する熱源から既定の距離を越えて離れない。これによって、熱源またはホットスポットが、ホットスポットに形成された反応水が凍り得るほどに冷却されることが防止される。さらに、加熱された冷却剤体積による、熱源の周り、即ちホットスポットの周りでの揺動によってホットスポットから両方向への所望の熱の分散がなされるが、これは既定の距離でのみなされる。
【００１３】
本発明の別の観点に基づき、燃料電池システムのための燃料電池スタックの稼働方法において、ある冷却剤体積が燃料電池スタックに存在する熱源から離れる距離は、冷却運転の間に少なくとも一度変更される。言い換えれば、冷却運転の稼働中に冷却剤の揺動の振幅が変化する。このやり方でも燃料電池スタックの始動行動が改善される。
【００１４】
この距離は冷却運転の稼働中に、圧力および／または冷却剤を搬送するポンプ装置の搬送出力を変えることによって、特に変化させることができる。こうして、流れ方向の反転が固定の周期である場合も、圧力および／またはポンプ装置の搬送出力の変更によって、異なる流れの速度に設定することができる。異なる流れの速度の設定により、冷却剤体積は燃料電池スタックにおいて異なる長さの距離をカバーする。
【００１５】
ある時間間隔の経過後に流れ方向が反転するその時間間隔の変更、および／または距離の変更は、特に燃料電池スタックの温度に応じて、および／または外部の温度に応じてなされ得る。こうして、燃料電池スタックでの冷却剤の流れの変更が、それぞれの状況へ特に優れて適応される。
【００１６】
冷却運転の第一の段階において、ある冷却剤体積が、燃料電池スタックを含む冷却剤循環路に存在する他の冷却剤体積よりも高い温度を有し、燃料電池スタックの第一の冷却剤接続部と燃料電池スタックの第二の冷却剤接続部との間を往復して移動すると、さらに有利である。このようにして、加熱された冷却剤体積は燃料電池スタックから放出されず、また、熱源またはホットスポットから放散された熱が、燃料電池スタック全体の温度の上昇のために特に優れて利用される。またこうして、一層拡大するホットスポットの熱は、特に優れて燃料電池スタックの部分領域へますます広く分散される。
【００１７】
さらに、冷却運転の第二の段階において、冷却剤体積は少なくとも燃料電池スタックの第一の冷却剤接続部および／または第二の冷却剤接続部まで搬送されると、有利である。このように、冷却剤接続部領域で異なる冷却剤の流路からの冷却剤の流れが混ざり合い、これらの流路は燃料電池スタックのそれぞれの燃料電池の冷却のために設置されている。この、それぞれ異なる燃料電池スタックの冷却剤の流路から生じた冷却剤の混合により、冷却剤の熱の均質化がなされる。特にこのような熱の分散は、冷却剤の流れ方向とは異なる方向、例えば燃料電池スタックでの冷却剤の流れ方向に対して垂直方向にもなされる。この対流的な熱の分散によって、熱伝導により既に起こっている分散に加えて、燃料電池スタック全体の特に急速な加熱がもたらされる。
【００１８】
本発明の別の有利な形態では、冷却運転の間冷却剤は少なくとも一時的に、完全に燃料電池スタックを含む第一の冷却剤循環路によって搬送され、この循環路は冷却器を備えた第二の冷却剤循環路と流体的に連結可能である。この小さな第一の冷却剤循環路は、全体の冷却剤循環路よりも少ない量の冷却剤を有し、この全体の冷却剤循環路は第一の冷却剤循環路と第二の冷却剤循環路との流体的な連結によって実現され得る。冷却剤はまず完全に小さな第一の冷却剤循環路に搬送されるため、特に急速な冷却剤の加熱がなされ得る。
【００１９】
本発明の別の形態では、燃料電池スタックに存在する冷却剤体積の温度に応じて、少なくとも冷却剤体積の一部が冷却剤によって、燃料電池スタックを含むより低温の冷却剤循環路から置き換えられる。言い換えれば、まず燃料電池スタックに存在する冷却剤体積が加熱され、続いてより低温の冷却剤が、燃料電池スタックの外部に存在する冷却剤循環路の領域から燃料電池スタックへともたらされる。特にここで、より低温の冷却剤による、より高温の冷却剤体積の部分的な置換えのみがなされる場合、特に急速に燃料電池スタックの高い出力が達成される。最終的にこのやり方によって、即ち燃料電池スタックに存在する冷却剤体積のバッチ式の加熱によって、冷却剤循環路に存在する冷却剤全体が加熱され得る。
【００２０】
最終的には、燃料電池スタックからの冷却剤の流出および／または燃料電池スタックへの冷却剤の流入が、燃料電池スタックに存在する冷却剤の温度に応じて、少なくとも一時的に少なくとも一つの流れ案内要素によって困難になることが、有利であることが示された。この少なくとも一つの流れ案内要素は、例えばフラップであってもよい。
【００２１】
このように流れ案内要素によって、冷却剤の比較的大部分が燃料電池スタックに残ることになる。これによって、冷却運転中にホットスポットから放散された熱が、特に広範に燃料電池スタック全体の加熱に利用される。
【００２２】
少なくとも一つの流れ案内要素が、冷却剤の流出および／または冷却剤の流入をもはや防止しない収容位置へと移動可能であると有利である。これに応じて流れ案内要素は、その冷却剤を燃料電池スタックにとどめる機能を、燃料電池スタックの均等な加熱のために望ましい時間だけ果たす。
【００２３】
燃料電池スタックを備える冷却剤循環路が所望の温度に達すると、交互に入れ替わる、即ち流れ方向を反転させることから、別の通常の稼働モードへの切替えが可能となり、ここで冷却剤は燃料電池スタックを通って一つの流れ方向のみへ流れる。
【００２４】
本発明に基づく、特に車両に設置され得る燃料電池システムは、燃料電池スタックを備えた冷却剤循環路を含む。さらに、燃料電池スタック内にある冷却剤の流れ方向反転のための手段を備える。流れ方向の反転のための手段は、燃料電池スタックの外部に配置されてもよい。これは、冷却剤の両方向（即ち前方および後方）への搬送のために設計されたポンプであってもよい。この手段の制御のために機能する制御装置は、冷却運転の際、その経過後に流れ方向が反転する時間間隔を変更するために設計されていてもよい。これに追加的にまたは代替的に、制御装置は、冷却剤体積が、燃料電池スタックに存在する熱源から離れる距離を変更するために設計されていてもよい。これは特に、制御装置がポンプ装置を制御することによって達成することができる。冷却運転中にホットスポットから放散された熱が、特に優れて燃料電池スタックの領域に留まることができるため、このような燃料電池システムの手段によって燃料電池スタックの始動行動が改善される。これによって燃料電池の加熱がなされ、燃料電池スタックが急速に所望の出力がもたらされる。
【００２５】
技術的解決の可能性として、流れ装置の反転のための手段に弁装置が含まれると好ましく、これを用いて、第一の切替え位置において燃料電池スタックの貫流が第一の方向へ、また第二の切替え位置においては燃料電池スタックの貫流が、第一の方向と少なくとも実質的に反対の第二の方向へとなされ得る。このような弁装置の設置によって、複雑な、しかし同様に原則的に想定可能な、冷却剤を第一の方向にも第二の方向にも搬送することができるポンプ装置を使用する必要がなくなる。
【００２６】
時間間隔および／または距離の変更は冷却剤の温度に応じて設定可能であり、この際温度は、適切な温度センサを用いて、特に燃料電池スタックの冷却剤導入部および／または冷却剤排出部で感知することができる。
【００２７】
スタックの単セルの電気化学的に活性な領域で冷却剤の温度が計測されない燃料電池スタックにおいては、燃料電池スタックにより生み出された熱が温度センサに到達するまでに時間の遅延があり得る。この場合、時間間隔および／または距離の変更を制御するための代替的な可能性は、燃料電池スタックの効率を燃料電池スタックの導電率（即ち電圧および／または電流）により決定することである。この可能性は、燃料電池スタックの導電率はもとより計測する必要があるため、特に有利である。これは、低い温度の場合は、高温の場合よりも圧力が低い（効率がより低い）ことを意味する。温度がより高い領域が大きければ大きいほど燃料電池スタックの効率が改善し、これによって、高温の領域からの熱を遠くへ搬送するために、冷却剤がさらに遠く、またはより長く搬送される必要がある。
【００２８】
本発明の各観点の利点と好ましい実施形態は、本発明の別の各観点の利点と好ましい実施形態にも当てはまり、その逆も同様である。さらに、本発明に基づく方法について記載された利点と好ましい実施形態は、本発明に基づく燃料電池システムにも当てはまる。
【００２９】
上記の明細書に記載の特徴および特徴の組み合わせ、ならびに以下の図面の説明に記載の、および／または図それ自身に記載の特徴および特徴の組み合わせは、それぞれに記載の組み合わせにおいてのみならず、本発明の枠組みから逸脱せずに、その他の組み合わせにおいて、または独立しても利用可能である。
【００３０】
本発明のその他の利点、特徴および詳細は、請求項、ならびに、好ましい実施形態および図面に基づく以下の説明に記載する。
【図面の簡単な説明】
【００３１】
【図１】冷却剤の流れ方向の反転によってホットスポットの領域において生み出された熱が分散される、車両のための燃料電池システムの燃料電池スタックの概略図である。
【図２】図１の燃料電池スタックにおいて、熱の分散によって冷却剤が燃料電池スタック全体において高温である図である。
【図３】冷却剤循環路への燃料電池スタックの統合の概略図である。
【発明を実施するための形態】
【００３２】
図１は車両のための燃料電池システムの燃料電池スタック１０の概略図であり、この燃料電池スタックは周囲の温度が著しく低い中で、即ち０℃より低い温度において稼働された。このような燃料電池スタック１０の稼働状態は低温始動または冷始動とも称される。この際、燃料電池スタック１０の個々の燃料電池の領域において、まず、いわゆるホットスポット１２が形成され、ここでは隣接する領域においてよりも燃料電池反応が優れて開始され、また周囲よりも強く加熱される。ここでは、燃料電池スタック１０の冷却運転において往復して流れる冷却剤によって、ホットスポット１２の形成にも関わらず、それぞれの燃料電池の、特にポリマー電解質膜（ＰＥＭ）として形成され得る膜が不必要に過熱されなくなる。
【００３３】
この場合、冷却運転においては、冷却剤はつまり燃料電池スタック１０を通って一方向のみへ流れるのでなく、まず冷却剤は第一の方向１４へ、次に第二の方向１６へと搬送され、これについて図１において方向１４、１６は二つの矢印で示されている。冷却剤の流れ方向の反転は、各ホットスポット１２から放散された熱が、燃料電池スタック１０から失われないように十分に速い速度でなされる。こうして、熱は各ホットスポット１２の領域で特に優れて分散され得る。
【００３４】
冷却剤が諸所へ流れることと、または冷却剤の揺動とによって、このように各ホットスポット１２での温度分布の平坦化がなされ、これによって各ホットスポット１２の周囲において、燃料電池スタック１０の特に大きな領域１８が加熱される。しかしながら、冷却剤によってこの領域１８において、膜の破損をもたらし得る最高温度の超過が防止される。
【００３５】
燃料電池スタック１０は第一の冷却剤接続部または冷却剤導入部２０を備え、また、第二の冷却剤接続部または冷却剤排出部２２を備える。燃料電池スタック１０を含む冷却剤循環路２４（図３を参照）のうち一つの循環路の通常稼働の場合、流れ方向の反転が起こらないため、冷却剤は冷却剤導入部２０から冷却剤排出部２２へと流れる。しかし、燃料電池スタック１０の冷始動または低温始動の際は、直線状に設定された方向１４，１６に応じて、冷却剤導入部２０または冷却剤排出部２２のいずれかを通って、冷却剤が燃料電池スタック１０へ流入する。燃料電池スタック１０の他の接続部２６，２８は例えば（通常は再循環された）水素など燃料電池反応に関与する燃料や、空気または酸素の導入または放出のために機能する。これらの燃料も、流れ方向は反転されないが燃料電池スタック１０を通って流れるため、ホットスポット１２を囲んで形成された、この領域の周囲の温度を超えて加熱された冷却剤が存在する領域１８は、やや冷却剤排出部２２の方に寄って拡張する。
【００３６】
冷却剤の流れ方向の反転の繰り返しによって、ホットスポット１２は維持されるが、ホットスポット１２により加熱された領域１８はますます拡大する。さらに、流れ方向の反転の繰り返しによって、各ホットスポット１２に形成された反応水の氷結による氷の形成が防止される。
【００３７】
この場合冷却剤の流れ方向の反転は、まず比較的急速に、即ち比較的短い時間間隔が経過した後に起こる。言い換えれば、冷却剤の揺れ動きの振幅は、最初は特に小さく、また熱源としてのホットスポット１２から熱を放出する冷却剤体積は各方向１４，１６へ比較的短い距離だけ戻る。特にこの手段によってホットスポット１２の拡大が可能となるが、加熱された冷却剤が各ホットスポット１２から離れ過ぎないため、同時に氷の形成が防止される。
【００３８】
しかし、領域１８の一層の拡大によって冷却剤の揺れ動きの振幅は大きくなり、このため各ホットスポット１２で加熱された冷却剤体積はより長い距離を戻る。これは一定のポンプ出力を有する冷却剤ポンプにおいて、ある時間間隔の経過後に流れ方向が反転するその時間間隔が長くなることによって起こる。代替として、一定である時間間隔において冷却剤が一層速度を増して搬送されてもよく、これによって同一の時間間隔において冷却剤はより長い距離を戻る。
【００３９】
ここで冷却剤の揺動の振幅が一層拡大する際には、まず、加熱された冷却剤が冷却剤導入部２０と冷却剤排出部２２の領域に留まるように留意され、これによって熱が燃料電池スタック１０からは放出されないが、恐らくホットスポット１２から放出される。
【００４０】
加熱された冷却剤が各方向１４，１６へ移動する距離の拡大によって、しかしながら、加熱された冷却剤は冷却剤排出部２２と冷却剤導入部２０に到達する。この領域で燃料電池スタック１０の分離された冷却剤流路からもたらされた、通常異なる温度の冷却剤が混ざり合う。このため、各冷却剤流路にある冷却剤の温度の同化が起こる。
【００４１】
こうして、まず流れ方向の交互の入替えによって第一の方向１４と第二の方向１６への熱の分散が起こる一方、冷却剤導入部２０と冷却剤排出部２２の領域での冷却剤の混合によって、これらの方向１４，１６に対して垂直方向への熱の特に優れた分散もなされる。燃料電池スタック１０に存在する全ての冷却剤が特に急速に加熱される。
【００４２】
この状況は図２に示されており、ここでは加熱された冷却剤が冷却剤導入部２０と冷却剤排出部２２の領域へ進入している。ここでは冷却剤の流れの交互の入替えが引き続き起こっているため、より低温の冷却剤が燃料電池スタック１０の外側から燃料電池スタック１０へと導入され、その中心領域３０では相対最大温度となる。この加熱状態が冷却剤循環路２４（図３を参照）（ここでは、低温始動または冷始動のために特別に、より少ない冷却剤体積を有するより小さい冷却剤循環路であってもよい（図示せず））に存在する全冷却剤体積に達すれば、通常の冷却運転に切替えられることができ、ここで冷却剤は冷却剤導入部２０を通って燃料電池スタック１０へ流入し、交互に入れ替わりながら（または引き続いて）冷却剤の流れ方向が（再び）反転することなく、冷却剤排出部２２を通って再び出て行く。
【００４３】
図３に示すように、燃料電池スタック１０は冷却剤循環路２４に統合され、ここでは冷却剤ポンプ３２が冷却剤を搬送する。各方向１４，１６へ交互に入れ替わる冷却剤の流れの振幅が特に大きいために、冷却剤循環路２４に存在する全ての冷却剤が均等に加熱される場合は、通常稼働に切替えられてもよい。こうして冷却剤循環路２４はその他の（図示されていない）、冷却器が設置された冷却剤循環路と流体的に連結され得る。これは、低温始動または冷始動の間、その他の冷却剤循環路２４を遮断する弁による冷却剤循環路の開放によってなされる。
【００４４】
燃料電池スタック１０の領域に存在する冷却剤体積のみの加熱の後も、やや長い間、冷却剤が２つの方向１４，１６のうち１方向のみに搬送されてもよく、これによって燃料電池スタック１０に存在する加熱された冷却剤の一部が、冷却剤循環路２４の残りの領域からもたらされた、より低温の冷却剤により置き換えられる。冷却剤の部分的な置換えの代わりに、低温の冷却剤による完全な置換えがなされてもよい．こうして、加熱された冷却剤の全てのチャージが燃料電池スタック１０から取り出され、冷却剤循環路２４からの低温でまだ加熱されていない冷却剤によって置き換えられる。このような、燃料電池スタック１０に存在する冷却剤の部分的または完全な置換えが十分に繰り返された後、最終的に、冷却剤循環路２４に存在する全ての冷却剤が多かれ少なかれ均等に加熱される。その後通常稼働に切替えられることができ、そこでは冷却剤の流れ方向はもはや反転されない。
【００４５】
代替的にまたは追加的に、冷却剤導入部２４および／または冷却剤排出部２２に、フラップまたはこれと同種の、冷却剤の流れに対して抵抗を設定する流れ案内要素が設置されてもよく、これは冷却剤の燃料電池スタック１０への流入、または冷却剤の燃料電池スタック１０からの流出を困難にする。このようなフラップまたは同種の流れ案内要素は、例えばバイメタル素子として構成されてもよく、これは温度に応じて位置を変更する。所望の温度に達すると、フラップは、特に自動で、冷却剤の燃料電池スタック１０への流入、または冷却剤の燃料電池スタック１０からの流出をもはや妨げない位置へと移動される。しかしながらフラップが機能的位置にある間は、フラップは、冷却剤が少なくとも大部分で燃料電池スタック１０に留まるように働く。フラップはその後折り畳まれ、通常稼働に切替えられてもよい。
【００４６】
図３には、冷却剤循環路２４への燃料電池スタック１０の統合を示す。冷却剤ポンプ３２からの冷却剤が弁３４へと流れ、この弁は制御装置３６により制御される。弁３４の第一の切替え位置で、冷却剤はライン３８を通って燃料電池スタック１０の冷却剤導入部２０へと流れる。これに応じて、燃料電池スタック１０から押し出された冷却剤は、冷却剤排出部２２を通って排出される。冷却剤は、ここからライン４０を通って冷却剤ポンプ３２の低圧側へ到達する。
【００４７】
弁３４の第二の切替え位置で、冷却剤は弁３４から第三のライン４２を通って燃料電池スタック１０の冷却剤排出部２２へと流れ、冷却剤導入部２０に繋がる第四のライン４４を通ってそこから排出され、このラインもまた冷却剤ポンプ３２の低圧側へと通じている。弁３４の切替え位置を変えることにより、冷却剤を一方向のみへ搬送する冷却剤ポンプ３２によってもまた、燃料電池スタック１０の第一の方向１４または第二の方向１６（図１を参照）への貫流が実行される。
【００４８】
図３に示すように、制御装置３６によって冷却剤ポンプ３２も制御することができる。ここで冷却剤ポンプ３２は冷却剤に異なるレベルの圧力を与えるか、または異なるポンプ出力が設定されてもよい。このやり方によって冷却剤は異なる速度で搬送されることができ、これによって、異なる切替え位置への弁３４の切替えが一定の周期の場合でも、冷却剤の流れの振幅を異なる大きさに設定することができる。２つの方向１４，１６へ搬送可能な冷却剤ポンプ３２の場合は弁３４を使用しなくてもよく、流れ方向の反転は制御装置３６を用いた冷却剤ポンプ３２の制御によってなされる。
【００４９】
図３に概略的に示す冷却剤循環路２４は他の（図示していない）冷却剤循環路に統合され、この循環路は冷却器を備える。まずは冷却運転において、ここではホットスポット１２から熱が放散されて燃料電池スタック１０において分散され、冷却剤は冷却剤循環路２４に留まることが好ましい。これに続いて冷却剤循環路２４は第二の、冷却器を備えた冷却剤循環路に連結されてもよく、これによって燃料電池スタック１０から、稼働中に放散された余分な熱を、冷却器を通して排出することができる。
【００５０】
燃料電池スタック１０の稼働モードにおいて燃料電池スタックは、より大きい、冷却器を備える冷却剤循環路に統合されており、ここでは弁３４の切替え位置をもはや変更する必要はなく、冷却剤が冷却剤導入部２０を通って燃料電池スタック１０へ流入し、冷却剤排出部２２を通って排出される。
【符号の説明】
【００５１】
１０  燃料電池スタック
１２  ホットスポット
１４  方向
１６  方向
１８  領域
２０  冷却剤導入部
２２  冷却剤導入部
２４  冷却剤循環路
２６  接続部
２８  接続部
３０  中心領域
３２  冷却剤ポンプ
３４  弁
３６  制御装置
３８  ライン
４０  ライン
４２  ライン
４４  ライン
【図１】
2015511058.tif 000003
【図２】
2015511058.tif 000004
【図３】
2015511058.tif 000005
【国際調査報告】
2015511058.tif 000006
2015511058.tif 000007
2015511058.tif 000008
2015511058.tif 000009